【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】  往復移動するキャリッジに搭載された記録手段から記録媒体へインクを吐出して記録を行うインクジェット記録装置において、
前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段を具備することを特徴とするインクジェット記録装置。
【請求項２】  前記平滑部は記録手段の吐出口面のみであることを特徴とする請求項１に記載のインクジェット記録装置。
【請求項３】  前記平滑部は前記記録手段の吐出口面と、該記録手段の記録媒体との対向面であることを特徴とする請求項１に記載のインクジェット記録装置。
【請求項４】  前記平滑部は前記記録手段の吐出口面と、前記キャリッジの記録媒体との対向面であることを特徴とする請求項１に記載のインクジェット記録装置。
【請求項５】  前記キャリッジの移動範囲が記録媒体の幅と前記平滑部の幅の合計値以下であることを特徴とする請求項１〜４のいずれかに記載のインクジェット記録装置。    【請求項６】  前記キャリッジを移動させる手段は、前記記録媒体の種類または前記記録媒体の余白の有無に応じて、前記キャリッジを移動させることを特徴とする請求項１に記載のインクジェット記録装置。
【請求項７】  往復移動するキャリッジに搭載された記録手段から記録媒体へインクを吐出して記録を行うインクジェット記録装置において、
前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段と、前記キャリッジの移動範囲内に配設された、予備吐出受けと、を具備することを特徴とするインクジェット記録装置。
【請求項８】  前記予備吐出受けは、前記記録ヘッドのキャップであることを特徴とする請求項７に記載のインクジェット記録装置。
【請求項９】  前記予備吐出受けは、前記記録装置のプラテン上に配設された受け部であることを特徴とする請求項７に記載のインクジェット記録装置。
【請求項１０】  前記予備吐出受けは、前記記録装置のプラテン上に配設された余白無し記録用インク受け部であることを特徴とする請求項７に記載のインクジェット記録装置。
【請求項１１】  前記記録手段による前記記録媒体への記録中に、前記キャリッジを移動させる手段が、前記平滑部が前記記録媒体と対向する位置から外れない移動範囲となるように、前記キャリッジを移動させることを特徴とする請求項１または７に記載のインクジェット記録装置。
【手続補正２】
【補正対象書類名】明細書
【補正対象項目名】００１２
【補正方法】変更
【補正の内容】
【００１２】
【課題を解決するための手段】
請求項１の発明は、上記目的を達成するため、往復移動するキャリッジに搭載された記録手段から記録媒体へインクを吐出して記録を行うインクジェット記録装置において、前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段を具備することを特徴とする。
【手続補正３】
【補正対象書類名】明細書
【補正対象項目名】００１３
【補正方法】変更
【補正の内容】
【００１３】
請求項７の発明は、上記目的を達成するため、往復移動するキャリッジに搭載された記録手段から記録媒体へインクを吐出して記録を行うインクジェット記録装置において、前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段と、前記キャリッジの移動範囲内に配設された、予備吐出受けと、を具備することを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００４０
【補正方法】変更
【補正の内容】
【００４０】
以上説明した実施例においては、往復移動するキャリッジ２に搭載された記録手段１から記録媒体２１へインクを吐出して記録を行うインクジェット記録装置において、前記記録手段または、前記記録手段と前記キャリッジの前記記録媒体との対向面が平滑化されており、該平滑部２６が記録媒体２１上から外れないようにキャリッジ２１の移動範囲（Ａ＋Ｂ）を制限する制限手段を具備するように構成されている。
前記平滑部は２６は、記録手段１の吐出口面８１のみであっても良く、また、記録手段の吐出口面８１と該記録手段の記録媒体２１との対向面（図示の底面）を含む全面であってもよく、さらに、記録手段１の吐出口面８１とキャリッジ２の記録媒体２１との対向面から成る全面（図示の全底面）であっても良い。
そして、キャリッジ２の移動範囲は記録媒体２１の幅Ａと平滑部２６の幅Ｂの合計値以下となるように設定されている。
【手続補正７】
【補正対象書類名】明細書
【補正対象項目名】００５０
【補正方法】変更
【補正の内容】
【００５０】
【発明の効果】
以上の説明から明らかなごとく、請求項１の発明によれば、往復移動するキャリッジに搭載された記録手段から記録媒体へインクを吐出して記録を行うインクジェット記録装置において、前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段を具備する構成としたので、
記録媒体がカールするなどしてキャリッジ又は記録手段の対向面と干渉する場合でも、記録媒体の端部とキャリッジとの衝突を回避することができるインクジェット記録装置が提供される。
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】変更
【補正の内容】
【００５２】
請求項７の発明によれば、往復移動するキャリッジに搭載された記録手段から記録媒体へインクを吐出して記録を行うインクジェット記録装置において、前記記録手段または、前記記録手段と前記キャリッジの前記記録媒体との対向面が平滑化されており、前記キャリッジの移動範囲が、該平滑部が前記記録媒体と対向する位置から外れない移動範囲となるように、前記キャリッジを移動させる手段と、前記キャリッジの移動範囲内に配設された、予備吐出受けと、を具備する構成としたので、
記録媒体がカールするなどしてキャリッジ又は記録手段の対向面と干渉する場合でも、記録媒体の端部とキャリッジとの衝突を回避することができ、記録手段の回復のための予備吐出も適正に行うことができるインクジェット記録装置が提供される。
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】